(57)【特許請求の範囲】
【請求項１】
ユーザによる選択対象であるアイテムの一覧から前記ユーザによってアイテムが選択された場合に、前記ユーザによって選択されたアイテムに関連付けられたテキスト情報と、前記ユーザによって選択された前記アイテムと所定関係を有する他のアイテムに関連付けられたテキスト情報とに重複して含まれる単語を重複単語として取得する重複単語取得手段と、
前記ユーザによって選択された前記アイテムに類似するアイテムを検索するための検索条件を前記重複単語に基づいて設定する検索条件設定手段と、
前記検索条件に基づいて検索を実行する検索実行手段と、
を含み、
前記他のアイテムは、前記ユーザによって選択された前記アイテムと同一又は類似のアイテムである、
ことを特徴とする検索システム。
【請求項２】
請求項１に記載の検索システムにおいて、
前記他のアイテムは、前記ユーザによって選択された前記アイテムに関連付けられた画像と同一又は類似の画像が関連付けられたアイテムである、
ことを特徴とする検索システム。
【請求項３】
請求項１に記載の検索システムにおいて、
前記他のアイテムは、前記ユーザによって選択された前記アイテムに関連付けられた識別情報と同一又は類似の識別情報が関連付けられたアイテムである、
ことを特徴とする検索システム。
【請求項４】
ユーザによる選択対象であるアイテムの一覧から前記ユーザによってアイテムが選択された場合に、前記ユーザによって選択されたアイテムに関連付けられたテキスト情報と、前記ユーザによって選択された前記アイテムと所定関係を有する他のアイテムに関連付けられたテキスト情報とに重複して含まれる単語を重複単語として取得する重複単語取得手段と、
前記ユーザによって選択された前記アイテムに類似するアイテムを検索するための検索条件を前記重複単語に基づいて設定する検索条件設定手段と、
前記検索条件に基づいて検索を実行する検索実行手段と、
を含み、
前記ユーザによって前記一覧から複数のアイテムが選択され、前記ユーザによって選択された前記アイテムは、前記ユーザによって選択された複数のアイテムのうちの一のアイテムであり、前記他のアイテムは、前記ユーザによって選択された複数のアイテムのうちの他のアイテムである、
ことを特徴とする検索システム。
【請求項５】
請求項１乃至４のいずれかに記載の検索システムにおいて、
前記重複単語取得手段は、前記ユーザによって選択された前記アイテムに関連付けられたテキスト情報に含まれる単語のうちの、前記他のアイテムに関連付けられたテキスト情報に含まれる単語と同義又は類義の単語も前記重複単語として取得する、
ことを特徴とする検索システム。
【請求項６】
請求項１乃至５のいずれかに記載の検索システムにおいて、
前記検索条件設定手段は、前記重複単語取得手段によって一つの重複単語が取得された場合に、当該一つの重複単語を含む前記検索条件を設定し、前記重複単語取得手段によって複数の重複単語が取得された場合に、ＡＮＤ条件で連結された少なくとも二つの重複単語を含む前記検索条件を設定する第１の検索条件設定手段を含む、
ことを特徴とする検索システム。
【請求項７】
請求項６に記載の検索システムにおいて、
前記ユーザによって選択された前記アイテムに関連付けられたテキスト情報と、前記所定関係を有する前記他のアイテムに関連付けられたテキスト情報とのいずれか一方のみに含まれる単語を非重複単語として取得する非重複単語取得手段を含み、
前記検索条件設定手段は、前記重複単語取得手段によって少なくとも一つの重複単語が取得され、かつ、前記非重複単語取得手段によって複数の非重複単語が取得された場合に、当該少なくとも一つの重複単語と、ＯＲ条件で連結された当該複数の非重複単語とがＡＮＤ条件で連結された前記検索条件を設定する第２の検索条件設定手段を含む、
ことを特徴とする検索システム。
【請求項８】
請求項７に記載の検索システムにおいて、
前記検索実行手段は、
前記第１の検索条件設定手段によって設定された検索条件に基づいて検索を実行する第１の検索実行手段と、
前記第２の検索条件設定手段によって設定された検索条件に基づいて検索を実行する第２の検索実行手段と、を含み、
前記検索システムは、前記第１の検索実行手段又は前記第２の検索実行手段による検索によって取得されたアイテムの一覧を前記ユーザに提示する一覧提示手段を含み、
前記一覧提示手段は、
前記第１の検索実行手段による検索によって取得された一覧に含まれるアイテムの件数が閾値よりも少ない場合に、前記第１の検索実行手段による検索によって取得された一覧を前記ユーザに提示する手段と、
前記第１の検索実行手段による検索によって取得された一覧に含まれるアイテムの件数が前記閾値よりも多い場合に、前記第２の検索実行手段による検索によって取得された一覧を前記ユーザに提示する手段と、を含む、
ことを特徴とする検索システム。
【請求項９】
請求項１乃至８のいずれかに記載の検索システムにおいて、
前記ユーザによって選択された前記アイテムのカテゴリーを示す単語であるカテゴリー単語を取得する手段を含み、
前記検索条件設定手段は、前記ユーザによって選択された前記アイテムに類似するアイテムを検索するための検索条件を前記重複単語及び前記カテゴリー単語に基づいて設定する、
ことを特徴とする検索システム。
【請求項１０】
ユーザによる選択対象であるアイテムの一覧から前記ユーザによってアイテムが選択された場合に、前記ユーザによって選択されたアイテムに関連付けられたテキスト情報と、前記ユーザによって選択された前記アイテムと所定関係を有する他のアイテムに関連付けられたテキスト情報とに重複して含まれる単語を重複単語として取得する重複単語取得手段と、
前記ユーザによって選択された前記アイテムに類似するアイテムを検索するための検索条件を前記重複単語に基づいて設定する検索条件設定手段と、
を含み、
前記他のアイテムは、前記ユーザによって選択された前記アイテムと同一又は類似のアイテムである、
ことを特徴とする検索条件設定装置。
【請求項１１】
ユーザによる選択対象であるアイテムの一覧から前記ユーザによってアイテムが選択された場合に、前記ユーザによって選択されたアイテムに関連付けられたテキスト情報と、前記ユーザによって選択された前記アイテムと所定関係を有する他のアイテムに関連付けられたテキスト情報とに重複して含まれる単語を重複単語として取得する重複単語取得ステップと、
前記ユーザによって選択された前記アイテムに類似するアイテムを検索するための検索条件を前記重複単語に基づいて設定する検索条件設定ステップと、
を含み、
前記他のアイテムは、前記ユーザによって選択された前記アイテムと同一又は類似のアイテムである、
ことを特徴とする検索条件設定装置の制御方法。
【請求項１２】
ユーザによる選択対象であるアイテムの一覧から前記ユーザによってアイテムが選択された場合に、前記ユーザによって選択されたアイテムに関連付けられたテキスト情報と、前記ユーザによって選択された前記アイテムと所定関係を有する他のアイテムに関連付けられたテキスト情報とに重複して含まれる単語を重複単語として取得する重複単語取得手段、及び、
前記ユーザによって選択された前記アイテムに類似するアイテムを検索するための検索条件を前記重複単語に基づいて設定する検索条件設定手段、
としてコンピュータを機能させ、
前記他のアイテムは、前記ユーザによって選択された前記アイテムと同一又は類似のアイテムである、
ことを特徴とするプログラム。
【請求項１３】
ユーザによる選択対象であるアイテムの一覧から前記ユーザによってアイテムが選択された場合に、前記ユーザによって選択されたアイテムに関連付けられたテキスト情報と、前記ユーザによって選択された前記アイテムと所定関係を有する他のアイテムに関連付けられたテキスト情報とに重複して含まれる単語を重複単語として取得する重複単語取得手段と、
前記ユーザによって選択された前記アイテムに類似するアイテムを検索するための検索条件を前記重複単語に基づいて設定する検索条件設定手段と、
を含み、
前記ユーザによって前記一覧から複数のアイテムが選択され、前記ユーザによって選択された前記アイテムは、前記ユーザによって選択された複数のアイテムのうちの一のアイテムであり、前記他のアイテムは、前記ユーザによって選択された複数のアイテムのうちの他のアイテムである、
ことを特徴とする検索条件設定装置。
【請求項１４】
ユーザによる選択対象であるアイテムの一覧から前記ユーザによってアイテムが選択された場合に、前記ユーザによって選択されたアイテムに関連付けられたテキスト情報と、前記ユーザによって選択された前記アイテムと所定関係を有する他のアイテムに関連付けられたテキスト情報とに重複して含まれる単語を重複単語として取得する重複単語取得ステップと、
前記ユーザによって選択された前記アイテムに類似するアイテムを検索するための検索条件を前記重複単語に基づいて設定する検索条件設定ステップと、
を含み、
前記ユーザによって前記一覧から複数のアイテムが選択され、前記ユーザによって選択された前記アイテムは、前記ユーザによって選択された複数のアイテムのうちの一のアイテムであり、前記他のアイテムは、前記ユーザによって選択された複数のアイテムのうちの他のアイテムである、
ことを特徴とする検索条件設定装置の制御方法。
【請求項１５】
ユーザによる選択対象であるアイテムの一覧から前記ユーザによってアイテムが選択された場合に、前記ユーザによって選択されたアイテムに関連付けられたテキスト情報と、前記ユーザによって選択された前記アイテムと所定関係を有する他のアイテムに関連付けられたテキスト情報とに重複して含まれる単語を重複単語として取得する重複単語取得手段、及び、
前記ユーザによって選択された前記アイテムに類似するアイテムを検索するための検索条件を前記重複単語に基づいて設定する検索条件設定手段、
としてコンピュータを機能させ、
前記ユーザによって前記一覧から複数のアイテムが選択され、前記ユーザによって選択された前記アイテムは、前記ユーザによって選択された複数のアイテムのうちの一のアイテムであり、前記他のアイテムは、前記ユーザによって選択された複数のアイテムのうちの他のアイテムである、
ことを特徴とするプログラム。
【発明の詳細な説明】
【技術分野】
【０００１】
本発明は検索システム、検索条件設定装置、検索条件設定装置の制御方法、プログラム、及び情報記憶媒体に関する。
【背景技術】
【０００２】
アイテム一覧画面に表示されるいずれかのアイテムをユーザが選択した場合に、ユーザによって選択されたアイテムに類似するアイテムを検索するための検索条件を、ユーザによって選択されたアイテムに関連付けられたテキスト情報に含まれる単語に基づいて設定する検索システムが知られている。【０００３】
例えば、非特許文献１に記載の商品検索システムは、商品一覧画面に表示されるいずれかの商品をユーザが選択した場合に、ユーザによって選択された商品の類似商品を検索するための検索条件を設定する機能を備えている。この商品検索システムでは、「似たもの検索」リンクボタンが各商品に関連付けられている。ユーザがいずれかの商品に関連付けられた「似たもの検索」リンクボタンをクリックすると、その商品のタイトル（名称）から複数のキーワードが機械的に抽出され、それら複数のキーワードをすべて含む商品が検索される。
【先行技術文献】
【非特許文献】
【０００４】
【非特許文献１】「Ｙａｈｏｏ！商品検索ヘルプ」，［ｏｎｌｉｎｅ］，［平成２５年１０月１８日検索］，インターネット＜http://www.yahoo-help.jp/app/answers/detail/p/586/a_id/42567/＞
【発明の概要】
【発明が解決しようとする課題】
【０００５】
一般的に、複数の店舗が出店する仮想商店街では各店舗が商品のタイトルを登録する。商品が様々な検索キーワードにヒットするようにするために、各店舗は様々なキーワードを商品のタイトルに含める傾向がある。このため、上記のような商品検索システムでは、類似商品の検索に不要なキーワードが商品のタイトルから抽出されてしまい、このようなキーワードが検索条件に含まれてしまうおそれがある。その結果、類似商品を検索するための検索条件の精度が低下し、類似商品の検索結果としてユーザが満足するような検索結果が得られないおそれがある。【０００６】
本発明は上記課題に鑑みてなされたものであって、その目的は、ユーザによって選択されたアイテムに類似するアイテムを検索するための検索条件を、ユーザによって選択されたアイテムに関連付けられたテキスト情報に含まれる単語に基づいて設定する場合における検索条件の精度を向上することが可能な検索システム、検索条件設定装置、検索条件設定装置の制御方法、プログラム、及び情報記憶媒体を提供することにある。
【課題を解決するための手段】
【０００７】
上記課題を解決するために、本発明に係る検索システムは、ユーザによる選択対象であるアイテムの一覧から前記ユーザによってアイテムが選択された場合に、前記ユーザによって選択されたアイテムに関連付けられたテキスト情報と、前記ユーザによって選択された前記アイテムと所定関係を有する他のアイテムに関連付けられたテキスト情報とに重複して含まれる単語を重複単語として取得する重複単語取得手段と、前記ユーザによって選択された前記アイテムに類似するアイテムを検索するための検索条件を前記重複単語に基づいて設定する検索条件設定手段と、前記検索条件に基づいて検索を実行する検索実行手段と、を含むことを特徴とする。【０００８】
また、本発明に係る検索システムの制御方法は、ユーザによる選択対象であるアイテムの一覧から前記ユーザによってアイテムが選択された場合に、前記ユーザによって選択されたアイテムに関連付けられたテキスト情報と、前記ユーザによって選択された前記アイテムと所定関係を有する他のアイテムに関連付けられたテキスト情報とに重複して含まれる単語を重複単語として取得する重複単語取得ステップと、前記ユーザによって選択された前記アイテムに類似するアイテムを検索するための検索条件を前記重複単語に基づいて設定する検索条件設定ステップと、前記検索条件に基づいて検索を実行する検索実行ステップと、を含むことを特徴とする。【０００９】
また、本発明に係る検索条件設定装置は、ユーザによる選択対象であるアイテムの一覧から前記ユーザによってアイテムが選択された場合に、前記ユーザによって選択されたアイテムに関連付けられたテキスト情報と、前記ユーザによって選択された前記アイテムと所定関係を有する他のアイテムに関連付けられたテキスト情報とに重複して含まれる単語を重複単語として取得する重複単語取得手段と、前記ユーザによって選択された前記アイテムに類似するアイテムを検索するための検索条件を前記重複単語に基づいて設定する検索条件設定手段と、を含むことを特徴とする。【００１０】
また、本発明に係る検索条件設定装置の制御方法は、ユーザによる選択対象であるアイテムの一覧から前記ユーザによってアイテムが選択された場合に、前記ユーザによって選択されたアイテムに関連付けられたテキスト情報と、前記ユーザによって選択された前記アイテムと所定関係を有する他のアイテムに関連付けられたテキスト情報とに重複して含まれる単語を重複単語として取得する重複単語取得ステップと、前記ユーザによって選択された前記アイテムに類似するアイテムを検索するための検索条件を前記重複単語に基づいて設定する検索条件設定ステップと、を含むことを特徴とする。【００１１】
また、本発明に係るプログラムは、ユーザによる選択対象であるアイテムの一覧から前記ユーザによってアイテムが選択された場合に、前記ユーザによって選択されたアイテムに関連付けられたテキスト情報と、前記ユーザによって選択された前記アイテムと所定関係を有する他のアイテムに関連付けられたテキスト情報とに重複して含まれる単語を重複単語として取得する重複単語取得手段、及び、前記ユーザによって選択された前記アイテムに類似するアイテムを検索するための検索条件を前記重複単語に基づいて設定する検索条件設定手段、としてコンピュータを機能させるためのプログラムである。【００１２】
また、本発明に係る情報記憶媒体は、ユーザによる選択対象であるアイテムの一覧から前記ユーザによってアイテムが選択された場合に、前記ユーザによって選択されたアイテムに関連付けられたテキスト情報と、前記ユーザによって選択された前記アイテムと所定関係を有する他のアイテムに関連付けられたテキスト情報とに重複して含まれる単語を重複単語として取得する重複単語取得手段、及び、前記ユーザによって選択された前記アイテムに類似するアイテムを検索するための検索条件を前記重複単語に基づいて設定する検索条件設定手段、としてコンピュータを機能させるためのプログラムを記録したコンピュータ読み取り可能な情報記憶媒体である。【００１３】
また、本発明の一態様では、前記重複単語取得手段は、前記ユーザによって選択された前記アイテムに関連付けられたテキスト情報に含まれる単語のうちの、前記他のアイテムに関連付けられたテキスト情報に含まれる単語と同義又は類義の単語も前記重複単語として取得するようにしてもよい。【００１４】
また、本発明の一態様では、前記検索条件設定手段は、前記重複単語取得手段によって一つの重複単語が取得された場合に、当該一つの重複単語を含む前記検索条件を設定し、前記重複単語取得手段によって複数の重複単語が取得された場合に、ＡＮＤ条件で連結された少なくとも二つの重複単語を含む前記検索条件を設定する第１の検索条件設定手段を含むようにしてもよい。【００１５】
また、本発明の一態様では、前記ユーザによって選択された前記アイテムに関連付けられたテキスト情報と、前記他のアイテムに関連付けられたテキスト情報とのいずれか一方のみに含まれる単語を非重複単語として取得する非重複単語取得手段を含み、前記検索条件設定手段は、前記重複単語取得手段によって少なくとも一つの重複単語が取得され、かつ、前記非重複単語取得手段によって複数の非重複単語が取得された場合に、当該少なくとも一つの重複単語と、ＯＲ条件で連結された当該複数の非重複単語と、がＡＮＤ条件で連結された前記検索条件を設定する第２の検索条件設定手段を含むようにしてもよい。【００１６】
また、本発明の一態様では、前記検索実行手段は、前記第１の検索条件設定手段によって設定された検索条件に基づいて検索を実行する第１の検索実行手段と、前記第２の検索条件設定手段によって設定された検索条件に基づいて検索を実行する第２の検索実行手段と、を含み、前記検索システムは、前記第１の検索実行手段又は前記第２の検索実行手段による検索によって取得されたアイテムの一覧を前記ユーザに提示する一覧提示手段を含み、前記一覧提示手段は、前記第１の検索実行手段による検索によって取得された一覧に含まれるアイテムの件数が閾値よりも少ない場合に、前記第１の検索実行手段による検索によって取得された一覧を前記ユーザに提示する手段と、前記第１の検索実行手段による検索によって取得された一覧に含まれるアイテムの件数が前記閾値よりも多い場合に、前記第２の検索実行手段による検索によって取得された一覧を前記ユーザに提示する手段と、を含むようにしてもよい。【００１７】
また、本発明の一態様では、前記他のアイテムは、前記ユーザによって選択された前記アイテムに関連付けられた画像と同一又は類似の画像が関連付けられたアイテムであってもよい。【００１８】
また、本発明の一態様では、前記他のアイテムは、前記ユーザによって選択された前記アイテムに関連付けられた識別情報と同一又は類似の識別情報が関連付けられたアイテムであってもよい。【００１９】
また、本発明の一態様では、前記ユーザによって前記一覧から複数のアイテムが選択された場合、前記ユーザによって選択された前記アイテムは、前記ユーザによって選択された複数のアイテムのうちの一のアイテムであり、前記他のアイテムは、前記ユーザによって選択された複数のアイテムのうちの他のアイテムであってもよい。【００２０】
また、本発明の一態様では、前記ユーザによって選択されたアイテムのカテゴリーを示す単語であるカテゴリー単語を取得する手段を含み、前記検索条件設定手段は、前記ユーザによって選択された前記アイテムに類似するアイテムを検索するための検索条件を前記重複単語及び前記カテゴリー単語に基づいて設定するようにしてもよい。
【発明の効果】
【００２１】
本発明によれば、ユーザによって選択されたアイテムに類似するアイテムを検索するための検索条件を、ユーザによって選択されたアイテムに関連付けられたテキスト情報に含まれる単語に基づいて設定する場合における検索条件の精度を向上することが可能になる。
【図面の簡単な説明】
【００２２】
【図１】本発明の実施形態に係る電子商取引システム（検索システム）の全体構成の一例を示す図である。
【図２】検索画面の一例を示す図である。
【図３】検索画面の他の一例を示す図である。
【図４】検索画面の他の一例を示す図である。
【図５】商品情報テーブルの一例を示す図である。
【図６】第１実施形態〜第３実施形態に係る電子商取引システムで実現される機能の一例を示す機能ブロック図である。
【図７】第１実施形態に係る電子商取引システムで実行される処理の一例を示す図である。
【図８】第４実施形態に係る電子商取引システムで実現される機能の一例を示す機能ブロック図である。
【図９】第４実施形態に係る電子商取引システムで実行される処理の一例を示す図である。
【図１０】第５実施形態に係る電子商取引システムで実現される機能の一例を示す機能ブロック図である。
【図１１】第５実施形態に係る電子商取引システムで実行される処理の一例を示す図である。
【発明を実施するための形態】
【００２３】
以下、本発明の実施形態の例について図面に基づき詳細に説明する。以下では、複数の店舗が出店する仮想商店街を実現する電子商取引システムに本発明を適用した場合の例について説明する。すなわち、本発明の実施形態に係る検索システムを電子商取引システムにおいて実現した場合の例について説明する。
【００２４】
［第１実施形態］図１は本発明の第１実施形態に係る電子商取引システム１（検索システム）の全体構成の一例を示す。図１に示すように、第１実施形態に係る電子商取引システム１はサーバ１０、データベース１５、ユーザ端末２０、及び店舗端末４を含む。サーバ１０、ユーザ端末２０、及び店舗端末４は、例えばインターネット等を含んで構成される通信ネットワーク２に接続されている。サーバ１０とユーザ端末２０との間で相互にデータ通信が可能であり、サーバ１０と店舗端末４との間でも相互にデータ通信が可能である。
【００２５】
サーバ１０は仮想商店街のポータルとして機能するサーバである。図１に示すように、サーバ１０は制御部１１、記憶部１２、通信部１３、及び光ディスクドライブ部１４を含む。制御部１１は１又は複数のマイクロプロセッサを含み、記憶部１２に記憶されたプログラムに従って情報処理を実行する。記憶部１２は主記憶部（例えばＲＡＭ等）及び補助記憶部（例えばＲＯＭ、ハードディスクドライブ、又はソリッドステートドライブ等）を含む。通信部１３は通信ネットワーク２を介してデータ通信を行うためのものである。
【００２６】
光ディスクドライブ部１４は、光ディスク（情報記憶媒体）に記録されたプログラム又はデータを読み出すためのものである。プログラム及びデータは光ディスク（情報記憶媒体）を介して記憶部１２に供給される。すなわち、光ディスクに記憶されたプログラム及びデータが光ディスクドライブ部１４によって読み出され、記憶部１２に記憶される。
【００２７】
なお、サーバ１０は、光ディスク以外の情報記憶媒体（例えばメモリカード）に記憶されたプログラム又はデータを読み出すための構成要素（例えばメモリカードスロット部）を含むようにしてもよい。そして、光ディスク以外の情報記憶媒体を介してプログラム及びデータが記憶部１２に供給されるようにしてもよい。また、プログラム及びデータは通信ネットワーク２を介して記憶部１２に供給されるようにしてもよい。
【００２８】
サーバ１０はデータベース１５にアクセスできるようになっている。例えば、仮想商店街を利用するユーザに関するデータ、仮想商店街に出店している店舗に関するデータ、仮想商店街で取り扱っている商品に関するデータや、仮想商店街で行われた取引の履歴に関するデータ等がデータベース１５に記憶される。なお、データベース１５はサーバ１０とは別のサーバ内に構築されていてもよいし、サーバ１０内に構築されていてもよい。
【００２９】
ユーザ端末２０はユーザによって使用される情報処理装置である。例えば、ユーザ端末２０は携帯電話（スマートフォンを含む）、タブレット型コンピュータ、ラップトップ型コンピュータ、又はデスクトップ型コンピュータ等である。
【００３０】
図１に示すように、ユーザ端末２０は制御部２１、記憶部２２、通信部２３、操作部２４、表示部２５、及び音声出力部２６を含む。制御部２１、記憶部２２、及び通信部２３はサーバ１０の制御部１１、記憶部１２、及び通信部１３と同様である。
【００３１】
プログラム及びデータは通信ネットワーク２を介して記憶部２２に供給される。なお、ユーザ端末２０は、情報記憶媒体（例えば光ディスク又はメモリカード等）に記憶されたプログラム又はデータを読み出すための構成要素（例えば光ディスクドライブ部又はメモリカードスロット部等）を含むようにしてもよい。そして、情報記憶媒体（例えばメモリカード）を介してプログラムやデータが記憶部２２に供給されるようにしてもよい。
【００３２】
操作部２４はユーザが操作を行うためのものである。例えば、表示部２５に表示される画面内の位置を指示するためのポインティングデバイスがユーザ端末２０に備えられている場合、ポインティングデバイスが操作部２４に相当する。すなわち、例えば、マウス、スティック、タッチパッド、又は表示部２５の上に重ねて設けられるタッチパネル等が操作部２４に相当する。
【００３３】
表示部２５は例えば液晶ディスプレイ又は有機ＥＬディスプレイ等であり、各種画面を表示する。音声出力部２６は例えばスピーカー又はヘッドホン等であり、各種音声を出力する。
【００３４】
店舗端末４は、仮想商店街に出店する店舗に設けられた情報処理装置であり、仮想商店街で販売する商品の情報等をサーバ１０を介してデータベース１５に登録するために用いられる。例えば、店舗端末４はタブレット型コンピュータ、ラップトップ型コンピュータ、又はデスクトップ型コンピュータ等である。店舗端末４はユーザ端末２０と同様のハードウェア構成を有する。
【００３５】
例えば、サーバ１０ではデーモンプログラム（例えばＨＴＴＰデーモン）が実行される。また、ユーザ端末２０ではプログラム（例えばウェブブラウザ）が起動され、処理要求（例えばＨＴＴＰリクエスト）がユーザ端末２０からサーバ１０に送信される。この場合、サーバ１０からは、上記の処理要求に対応する処理結果（例えばＨＴＴＰレスポンス）がユーザ端末２０に送信される。例えば、ページ記述言語で記述されたデータがユーザ端末２０に送信される。そして、このデータに基づいて、処理結果に基づく画面がユーザ端末２０の表示部２５に表示される。なお、店舗端末４とサーバ１０との間でも同様の処理が行われる。
【００３６】
以下、仮想商店街を利用する場合にユーザ端末２０の表示部２５に表示される画面について説明する。以下に説明する画面は、ユーザ端末２０とサーバ１０との間でデータ通信が実行されることによって表示される。
【００３７】
仮想商店街を利用する場合、ユーザはユーザ端末２０を用いてサーバ１０にアクセスする。ユーザはキーワードを指定して商品を検索することによって、所望の商品を探す。図２は商品を検索するための検索画面の一例を示す。
【００３８】
図２に示す検索画面３０はキーワード欄３１及び検索ボタン３２を含む。キーワード欄３１には商品を検索するためのキーワードが入力される。図２に示す検索画面３０では、「ＡＢＣ」及び「バッグ」の二つのキーワードがキーワード欄３１に入力されている。これらの単語は例えばＡＢＣ社製のバッグを検索するためのキーワードである。
【００３９】
検索ボタン３２が押下された場合には検索処理が実行され、キーワード欄３１に入力されたすべてのキーワードが商品のタイトル又は商品ページに含まれている商品の一覧が検索画面３０に表示される。図２に示す検索画面３０では商品画像３３の一覧が表示されるようになっており、商品のタイトルや価格等は省略されている。
【００４０】
商品画像３３は各店舗によって予め登録された画像である。一般的に、店舗は商品の製造元によって提供される画像を商品画像３３として利用する。仮想商店街では同一商品が複数の店舗で販売される場合があるが、同一商品の商品画像３３は同一又は類似の画像になっていることが多い。ただし、商品画像３３は各店舗によって登録されるため、同一商品の商品画像３３が同一又は類似の画像になっていない場合もある。また例えば「送料無料」又は「大好評」等の文字列又は装飾が商品画像３３に付け加えられている場合もある。
【００４１】
ユーザがいずれかの商品画像３３を押下した場合、その商品画像３３に対応する商品に関する商品画面（図示せず）がユーザ端末２０の表示部２５に表示される。商品画面は、商品に関する詳しい情報を確認したり、商品を購入したりするための画面である。
【００４２】
電子商取引システム１は、所望の商品の類似商品の検索を支援するための機能を備えている。以下、この機能について説明する。
【００４３】
類似商品の検索を行う場合、ユーザはカーソル３４を商品画像３３上に移動させることによって所望の商品を選択する。ユーザはカーソル３４を商品画像３３上に移動させると、図３に示すように、類似検索アイコン３５が商品画像３３上に表示される。類似検索アイコン３５は、商品画像３３に対応する商品の類似商品の検索を指示するためのものである。
【００４４】
ユーザが類似検索アイコン３５を押下した場合、ユーザによって選択された商品のタイトルに含まれる単語のうちの少なくとも一つが取得される。また、取得された単語に基づいて、類似商品を検索するための検索条件が設定される。そして、検索条件に基づいて検索が実行され、検索によって得られた商品の一覧が検索画面３０に表示される。
【００４５】
図４はこの場合の検索画面３０の一例を示す。図４に示す検索画面３０では「ＡＢＣ」、「Ｘシリーズ」、「バイオレット」、及び「トートバッグ」の四つのキーワードがキーワード欄３１に入力されている。これらのキーワードはユーザによって選択された商品のタイトルから取得されたものである。なお、この場合、上記四つのキーワードのすべてが商品のタイトル又は商品ページに含まれる商品の商品画像３３の一覧が検索画面３０に表示される。
【００４６】
電子商取引システム１では、類似商品の検索に不要な単語がキーワードとして設定されてしまう可能性を下げるようになっている。以下、これを実現するための構成について説明する。
【００４７】
まず、データベース１５に記憶されるデータについて説明する。先述のように、仮想商店街を利用するユーザに関するデータ、仮想商店街に出店している店舗に関するデータ、及び仮想商店街で取り扱っている商品に関するデータがデータベース１５に記憶される。
【００４８】
図５は商品情報テーブルの一例を示す。商品情報テーブルは各店舗で販売されている商品の情報を示す。図５に示す商品情報テーブルは「店舗ＩＤ」、「商品ＩＤ」、「タイトル」、「価格」、「商品画像」、及び「商品ページ」フィールドを含む。
【００４９】
「店舗ＩＤ」フィールドは店舗の店舗ＩＤを示す。店舗ＩＤは店舗を一意に識別する識別情報である。「商品ＩＤ」フィールドは、店舗で販売されている商品の商品ＩＤを示す。商品ＩＤは商品を一意に識別する識別情報である。販売する店舗が異なる場合であっても商品自体が同一の物については、同一の商品ＩＤが付与される。
【００５０】
「タイトル」フィールドは、店舗によって登録された商品のタイトル（名称）を示す。電子商取引システム１では各店舗が商品のタイトルを登録するようになっている。商品が様々な検索キーワードにヒットするようにすべく、各店舗は様々なキーワードを商品のタイトルに含める傾向がある。このため、図５に示すように、商品のタイトルには多くの単語が含まれている。それらの単語のうちには、商品特有の特徴との関連性が高い単語（すなわち、類似商品の検索に有益な単語）だけでなく、商品特有の特徴との関連性が低い単語（すなわち、類似商品の検索に有益でない単語）も含まれている。
【００５１】
「価格」フィールドは、店舗によって登録された商品の販売価格を示す。電子商取引システム１では各店舗が商品の販売価格を登録できるようになっている。「商品画像」フィールドは、店舗によって登録された商品画像へのリンク情報を示す。「商品ページ」フィールドは、店舗によって登録された商品ページへのリンク情報を示す。
【００５２】
図６は、電子商取引システム１で実現される機能ブロックを示す機能ブロック図である。図６に示すように、電子商取引システム１は重複単語取得部４０（重複単語取得手段）、検索条件設定部４２（検索条件設定手段）、及び検索実行部４４（検索実行手段）を含む。
【００５３】
これらの機能ブロックはサーバ１０又はユーザ端末２０によって実現される。以下では、これらの機能ブロックがサーバ１０（検索条件設定装置）で実現される場合について説明する。すなわち、サーバ１０の制御部１１がプログラムに従って処理を実行することによって、制御部１１が重複単語取得部４０、検索条件設定部４２、及び検索実行部４４として機能する場合について説明する。
【００５４】
重複単語取得部４０は、ユーザの選択対象であるアイテムの一覧からユーザによってアイテムが選択された場合に、ユーザによって選択されたアイテムに関連付けられたテキスト情報と、ユーザによって選択されたアイテムと所定関係を有する他のアイテムに関連付けられたテキスト情報とに重複して含まれる単語を重複単語として取得する。
【００５５】
なお、「アイテム」とは検索の対象となり得るものであり、例えば商品又はサービス等を含む。また、「ユーザによって選択されたアイテムと所定関係を有する他のアイテム」とは、例えば、「ユーザによって選択されたアイテムに関連付けられた画像と同一又は類似の画像が関連付けられたアイテム」である。
【００５６】
上述の例の場合（図２〜４参照）、検索画面３０に表示される商品の一覧が「アイテムの一覧」の一例に相当する。また、ユーザによって選択された商品（すなわち、類似検索アイコン３５が押下された商品画像３３に対応する商品）が「ユーザによって選択されたアイテム」の一例に相当する。さらに、ユーザによって選択された商品の商品画像と同一又は類似の商品画像が関連付けられた商品が「他のアイテム」の一例に相当する。また、商品のタイトルが「テキスト情報」の一例に相当する。
【００５７】
例えば、重複単語取得部４０は、ユーザによって選択された商品の商品画像と同一又は類似である商品画像（以下「類似商品画像」と呼ぶ。）を探す。例えば、重複単語取得部４０は、検索画面３０に表示される商品画像３３のうちから類似商品画像を探す。重複単語取得部４０は、検索画面３０に表示されていない商品画像のうちから類似商品画像を探すようにしてもよい。なお、商品画像同士が同一又は類似であるか否かを判定する手法として公知の手法を採用するようにすればよい。また、商品画像同士の類似度が閾値よりも高い場合にそれらの商品画像が類似すると判定するようにすればよい。
【００５８】
その後、重複単語取得部４０は、ユーザによって選択された商品のタイトルと、類似商品画像に対応する商品のタイトルとを取得する。そして、重複単語取得部４０は自然言語処理によって、それぞれのタイトルに含まれる単語を取得する。
【００５９】
以下では、ユーザによって選択された商品のタイトルが下記の（ａ）であり、類似商品画像に対応する商品のタイトルが下記の（ｂ）である場合を想定する。
（ａ）ＡＢＣ  ２０１３／１４  秋冬  新作  Ｘシリーズ  トートバッグ  バイオレット  ８ＨＳ９９９  ０４３  ００１  ［送料無料］  ［５０％ＯＦＦ］  ［新品未使用］
（ｂ）ＡＢＣ  ８Ｈ９９９−０４３  ００１  バイオレット  Ｘシリーズ  ハンドバッグ
【００６０】
重複単語取得部４０は、それぞれのタイトルから取得された単語から、数字を含む単語を除外する。例えば、割引情報を示す単語は商品特有の特徴を示す単語ではないため、類似商品の検索に有益でない。重複単語取得部４０は数字を含む単語を除外することによって、このような割引情報を示す単語を除外する。
【００６１】
その後、重複単語取得部４０は、これらのタイトルに重複して含まれる単語を重複単語として取得する。この場合、例えば下記に示すような重複単語が取得される。
「ＡＢＣ」，「Ｘシリーズ」，「バイオレット」
【００６２】
なお、重複単語取得部４０は、同義語（同じ意味を有する単語）又は類義語（類似する意味を有する単語）が登録された辞書データに基づいて重複単語を取得するようにしてもよい。すなわち、重複単語取得部４０は、ユーザによって選択された商品のタイトルに含まれる単語のうちの、類似商品画像に対応する商品のタイトルに含まれる単語と同義又は類義の単語も重複単語として取得するようにしてもよい。
【００６３】
例えば、「バック」及び「カバン」が同義語（又は類義語）として辞書データに登録されていて、ユーザによって選択された商品のタイトルに「バッグ」との単語が含まれ、かつ、類似商品画像に対応する商品のタイトルに「カバン」との単語が含まれているような場合、重複単語取得部４０はこれらの単語を重複単語として認識するようにしてもよい。
【００６４】
なお、上記辞書データは、異なる言語間の同義語又は類義語を示す辞書データであってもよい。例えば、重複単語取得部４０は、ユーザによって選択された商品のタイトルに含まれる一の言語表記（例えば日本語表記）の単語を辞書データに基づいて他の言語表記（例えば英語表記）の単語に変換し、当該他の言語表記の単語が、類似商品画像に対応する商品のタイトルに含まれているか否かを判定するようにしてもよい。そして、他の言語表記の単語が含まれていた場合、重複単語取得部４０はこれらの単語を重複単語として認識するようにしてもよい。
【００６５】
また、重複単語取得部４０は、カテゴリーを示す単語（以下「カテゴリー単語」と呼ぶ。）がユーザによって選択された商品のタイトルに含まれているか否かを判定する。例えば、カテゴリー単語が登録された辞書データに基づいて、重複単語取得部４０は上記の判定を実行する。また例えば、カテゴリーが商品ＩＤと関連付けて登録されている場合にはこの情報を利用してもよい。
【００６６】
この場合、例えば下記に示すようなカテゴリー単語が取得される。
「トートバッグ」
【００６７】
以上のようにして、重複単語取得部４０は下記のような重複単語及びカテゴリー単語を取得する。
「ＡＢＣ」，「Ｘシリーズ」，「バイオレット」，「トートバッグ」
【００６８】
なお、ここでは、一つの類似商品画像のみを考慮する場合について説明したが、複数の類似商品画像を考慮するようにしてもよい。
【００６９】
検索条件設定部４２は、ユーザによって選択されたアイテムに類似するアイテムを検索するための検索条件を、重複単語取得部４０によって取得された重複単語に基づいて設定する。
【００７０】
例えば、重複単語取得部４０によって一つの重複単語が取得された場合、検索条件設定部４２（第１の検索条件設定手段）は、当該一つの重複単語を含む検索条件を設定する。
【００７１】
一方、重複単語取得部４０によって複数の重複単語が取得された場合、検索条件設定部４２（第１の検索条件設定手段）は、ＡＮＤ条件で連結された少なくとも二つの重複単語を含む検索条件を設定する。
【００７２】
例えば下記に示すような検索条件が設定される。
「ＡＢＣ」ａｎｄ「Ｘシリーズ」ａｎｄ「バイオレット」ａｎｄ「トートバッグ」
【００７３】
なお、検索条件設定部４２は、検索画面３０のキーワード欄３１に入力されていたキーワードを検索条件に含めるようにしてもよい。また、検索条件設定部４２は、重複単語だけでなく、ユーザによって選択された商品のタイトルから取得される単語のうちの重複単語以外の単語も検索条件に含めるようにしてもよい。そして、検索条件設定部４２は重複単語の重みを重複単語以外の単語の重みに比べて大きく設定するようにしてもよい。
【００７４】
検索実行部４４は、検索条件設定部４２によって設定された検索条件に基づいて検索を実行する。
【００７５】
次に、以上に説明した機能ブロックを実現するための処理について説明する。図７は類似検索アイコン３５が押下された場合に実行される処理の一例を示す。
【００７６】
商品画像３３上に表示された類似検索アイコン３５が押下された場合、図７に示すように、ユーザ端末２０の制御部２１は、ユーザによって選択された商品（すなわち、当該商品画像３３に対応する商品）をサーバ１０に通知することによって、類似商品の検索を要求する（Ｓ１０１）。この場合、例えば、ユーザによって選択された商品の店舗ＩＤ及び商品ＩＤがサーバ１０に送信される。
【００７７】
上記要求がサーバ１０で受信された場合、サーバ１０の制御部１１は、ユーザによって選択された商品の商品画像と同一又は類似の商品画像が関連付けられた商品を探す（Ｓ１０２）。
【００７８】
例えばステップＳ１０１では、検索画面３０に表示されている商品画像３３の一覧（または、表示部２５に表示されている商品画像３３の一覧）がサーバ１０に送信されるようになっており、制御部１１は、ユーザによって選択された商品の商品画像と同一又は類似の商品画像を、検索画面３０に表示されている商品画像３３（または、表示部２５に表示されている商品画像３３）のうちから探す。なお、制御部１１は、ユーザによって選択された商品の商品画像と同一又は類似の商品画像を、データベース１５に保存されている商品画像３３のうちから探すようにしてもよい。
【００７９】
ステップＳ１０２が実行された後、制御部１１は、ユーザによって選択された商品のタイトルと、ステップ１０２で見つかった商品のタイトルとを取得する（Ｓ１０３）。そして、制御部１１は、ステップＳ１０３で取得されたタイトルから重複単語を取得する（Ｓ１０４）。すなわち、制御部１１は、ステップＳ１０３で取得されたタイトルに重複して含まれている単語を重複単語として取得する。また、制御部１１は、ユーザによって選択された商品のタイトルに含まれる単語のうちの、ステップ１０２で見つかった商品のタイトルに含まれる単語と同義又は類義の単語も重複単語として取得する。なお、制御部１１は数字を含む単語を除外する。また、カテゴリーを示す単語（カテゴリー単語）がユーザによって選択された商品のタイトルに含まれている場合、制御部１１は当該カテゴリー単語を取得する。
【００８０】
ステップＳ１０４が実行された後、制御部１１は、ステップＳ１０４で取得された重複単語（及びカテゴリー単語）に基づいて検索条件を設定する（Ｓ１０５）。そして、制御部１１は、ステップＳ１０５で設定された検索条件に基づいて検索を実行する（Ｓ１０６）。この場合、ステップＳ１０４で取得されたすべての重複単語（及びカテゴリー単語）が商品のタイトル又は商品ページに含まれる商品の一覧が検索結果として取得される。
【００８１】
ステップＳ１０６が実行された後、制御部１１は検索結果を示す検索結果データをユーザ端末２０に送信する（Ｓ１０７）。そして、検索結果データに基づいて、ユーザ端末２０の制御部２１は検索画面３０を更新する（Ｓ１０８）。この場合、検索結果として得られた商品の一覧が検索画面３０に表示される。また、ステップＳ１０５で設定された検索条件に含まれる単語がキーワード欄３１に表示される。
【００８２】
以上に説明した第１実施形態に係る電子商取引システム１では、ユーザによって選択された商品のタイトルと、ユーザによって選択された商品の類似商品（すなわち、ユーザによって選択された商品の商品画像と同一又は類似の商品画像の商品）のタイトルとに重複して含まれる単語が重複単語として取得される。そして、この重複単語に基づいて、ユーザによって選択された商品の類似商品を検索するための検索条件が設定される。
【００８３】
このような重複単語は、ユーザによって選択された商品特有の特徴を示す単語である可能性が高い。このため、電子商取引システム１によれば、ユーザによって選択された商品特有の特徴との関連性が高い単語が検索条件に含まれるようになる可能性が高くなり、逆に、ユーザによって選択された商品特有の特徴との関連性が低い単語が検索条件に含まれてしまう可能性が低くなる。すなわち、ユーザによって選択された商品の類似商品を検索するための検索条件の精度が向上される。
【００８４】
また、電子商取引システム１では、ユーザによって選択された商品のタイトルに含まれる単語のうちの、類似商品のタイトルに含まれる単語の同義又は類義の単語も重複単語として取得される。そして、この重複単語にも基づいて、ユーザによって選択された商品の類似商品を検索するための検索条件が設定される。
【００８５】
このような重複単語も、ユーザによって選択された商品特有の特徴を示す単語である可能性が高い。このため、このような重複単語も用いることによって、ユーザによって選択された商品の類似商品を検索するための検索条件の精度が向上される。
【００８６】
［第２実施形態］本発明の第２実施形態に係る電子商取引システム１の全体構成は第１実施形態と同様である（図１参照）。また、第２実施形態に係る電子商取引システム１においても、第１実施形態と同様の検索画面３０が表示され（図２〜４参照）、第１実施形態と同様のデータが記憶される（図５参照）。
【００８７】
第２実施形態に係る電子商取引システム１においても、第１実施形態と同様の機能ブロックが実現される（図６参照）。ただし、第２実施形態に係る電子商取引システム１では、重複単語取得部４０の動作が第１実施形態と異なっている。
【００８８】
具体的には、重複単語取得部４０は「ユーザによって選択されたアイテムに関連付けられた識別情報と同一又は類似の識別情報が関連付けられたアイテム」を「ユーザによって選択されたアイテムと所定関係を有する他のアイテム」として用いる点で、第１実施形態における重複単語取得部４０と異なる。
【００８９】
すなわち、重複単語取得部４０は、ユーザによって選択された商品のタイトルと、ユーザによって選択された商品の商品ＩＤと同一の商品ＩＤを有する商品のタイトルとに重複して含まれる単語を重複単語として取得する。
【００９０】
なお、重複単語取得部４０は、ユーザによって選択された商品のタイトルに含まれる単語のうちの、ユーザによって選択された商品の商品ＩＤと同一の商品ＩＤを有する商品のタイトルに単語と同義又は類義の単語も重複単語として取得するようにしてもよい。
【００９１】
第２実施形態に係る電子商取引システム１においても、第１実施形態と類似の処理が実行される（図７参照）。ただし、ステップＳ１０２において、制御部１１は、ユーザによって選択された商品の商品ＩＤと同一の商品ＩＤを有する商品を探す。
【００９２】
以上に説明した第２実施形態に係る電子商取引システム１では、ユーザによって選択された商品のタイトルと、ユーザによって選択された商品の商品ＩＤと同一の商品ＩＤを有する商品（同一商品）のタイトルとに重複して含まれる単語が重複単語として取得される。そして、この重複単語に基づいて、ユーザによって選択された商品の類似商品を検索するための検索条件が設定される。
【００９３】
このような重複単語は、ユーザによって選択された商品特有の特徴を示す単語である可能性が高い。このため、電子商取引システム１によれば、ユーザによって選択された商品特有の特徴との関連性が高い単語が検索条件に含まれるようになる可能性が高くなり、逆に、ユーザによって選択された商品特有の特徴との関連性が低い単語が検索条件に含まれてしまう可能性が低くなる。すなわち、ユーザによって選択された商品の類似商品を検索するための検索条件の精度が向上される。
【００９４】
また、電子商取引システム１では、ユーザによって選択された商品のタイトルに含まれる単語のうちの、同一商品のタイトルに含まれる単語の同義又は類義の単語も重複単語として取得される。そして、この重複単語にも基づいて、ユーザによって選択された商品の類似商品を検索するための検索条件が設定される。
【００９５】
このような重複単語も、ユーザによって選択された商品特有の特徴を示す単語である可能性が高い。このため、このような重複単語も用いることによって、ユーザによって選択された商品の類似商品を検索するための検索条件の精度が向上される。
【００９６】
［第３実施形態］本発明の第３実施形態に係る電子商取引システム１の全体構成は第１実施形態と同様である（図１参照）。また、第３実施形態に係る電子商取引システム１においても、第１実施形態と同様の検索画面３０が表示され（図２〜４参照）、第１実施形態と同様のデータが記憶される（図５参照）。
【００９７】
第３実施形態に係る電子商取引システム１においても、第１実施形態と同様の機能ブロックが実現される（図６参照）。ただし、第３実施形態に係る電子商取引システム１では、重複単語取得部４０の動作が第１実施形態及び第２実施形態と異なっている。
【００９８】
具体的には、重複単語取得部４０は、ユーザによって複数のアイテムが選択された場合に、ユーザによって選択された複数のアイテムのうちの一のアイテムを「ユーザによって選択されたアイテム」として用い、ユーザによって選択された複数のアイテムのうちの他のアイテムを「ユーザによって選択されたアイテムと所定関係を有する他のアイテム」として用いる点で、第１実施形態及び第２実施形態における重複単語取得部４０と異なる。
【００９９】
すなわち、重複単語取得部４０は、ユーザによって複数の商品が選択された場合に、それら複数の商品のタイトルに重複して含まれる単語を重複単語として取得する。また、重複単語取得部４０は、それら複数の商品のタイトルに重複して含まれる同義又は類義の単語も重複単語として取得するようにしてもよい。
【０１００】
なお、ユーザによって一つの商品のみが選択された場合の重複単語取得部４０の動作は、第１実施形態又は第２実施形態における重複単語取得部４０の動作と同様である。
【０１０１】
第３実施形態に係る電子商取引システム１において実行される処理について説明する。第３実施形態に係る電子商取引システム１では、ユーザによって複数の商品が選択された場合にステップＳ１０２が省略される。また、ステップＳ１０３において、制御部１１は、ユーザによって選択された複数の商品の各々のタイトルを取得する。なお、ユーザによって一つの商品のみが選択された場合には第１実施形態又は第２実施形態と同様の処理が実行される。
【０１０２】
以上に説明した第３実施形態に係る電子商取引システム１では、ユーザによって複数の商品が選択された場合、ユーザによって選択された複数の商品のタイトルに重複して含まれる単語が重複単語として取得される。そして、このような重複単語に基づいて、ユーザによって選択された商品の類似商品を検索するための検索条件が設定される。
【０１０３】
このような重複単語は、ユーザによって選択された複数の商品に共通な特徴を示す単語である可能性が高い。このため、電子商取引システム１によれば、ユーザによって選択された商品特有の特徴との関連性が高い単語が検索条件に含まれるようになる可能性が高くなり、逆に、ユーザによって選択された商品特有の特徴との関連性が低い単語が検索条件に含まれてしまう可能性が低くなる。すなわち、ユーザによって選択された商品の類似商品を検索するための検索条件の精度が向上される。
【０１０４】
また、電子商取引システム１では、ユーザによって選択された複数の商品のタイトルに重複して含まれる同義又は類義の単語も重複単語として取得される。そして、このような重複単語にも基づいて、ユーザによって選択された商品の類似商品を検索するための検索条件が設定される。
【０１０５】
このような重複単語も、ユーザによって選択された商品特有の特徴を示す単語である可能性が高い。このため、このような重複単語も用いることによって、ユーザによって選択された商品の類似商品を検索するための検索条件の精度が向上される。
【０１０６】
［第４実施形態］本発明の第４実施形態に係る電子商取引システム１の全体構成は第１実施形態と同様である（図１参照）。また、第４実施形態に係る電子商取引システム１においても、第１実施形態と同様の検索画面３０が表示され（図２〜４参照）、第１実施形態と同様のデータが記憶される（図５参照）。
【０１０７】
図８は、第４実施形態に係る電子商取引システム１で実現される機能ブロックを示す機能ブロック図である。図８に示すように、電子商取引システム１は重複単語取得部４０（重複単語取得手段）、非重複単語取得部４１（非重複単語取得手段）、検索条件設定部４２（検索条件設定手段）、及び検索実行部４４（検索実行手段）を含む。第４実施形態に係る電子商取引システム１は非重複単語取得部４１を含む点で第１実施形態〜第３実施形態と異なる。
【０１０８】
図８に示す機能ブロックはサーバ１０又はユーザ端末２０によって実現される。以下では、図８に示す機能ブロックがサーバ１０で実現される場合について説明する。すなわち、サーバ１０の制御部１１がプログラムに従って処理を実行することによって、制御部１１が重複単語取得部４０、非重複単語取得部４１、検索条件設定部４２、及び検索実行部４４として機能する場合について説明する。
【０１０９】
重複単語取得部４０は第１実施形態〜第３実施形態のいずれかにおける重複単語取得部４０と同様である。
【０１１０】
非重複単語取得部４１は、ユーザによって選択されたアイテムに関連付けられたテキスト情報と、ユーザによって選択されたアイテムと所定関係を有する他のアイテムに関連付けられたテキスト情報とのいずれか一方のみに含まれる単語を非重複単語として取得する。
【０１１１】
例えば、重複単語取得部４０の動作が第１実施形態における重複単語取得部４０と同様である場合、「ユーザによって選択されたアイテムに関連付けられた画像と同一又は類似の画像が関連付けられたアイテム」が「ユーザによって選択されたアイテムと所定関係を有する他のアイテム」に相当する。
【０１１２】
この場合、非重複単語取得部４１は、ユーザによって選択された商品のタイトルと、ユーザによって選択された商品の商品画像と同一又は類似の商品画像が関連付けられた商品（類似商品）のタイトルとのいずれか一方のみに含まれる単語を非重複単語として取得する。
【０１１３】
ここで、ユーザによって選択された商品のタイトルに「ピンク」が含まれ、三つの類似商品Ａ〜Ｃのうちの一つの類似商品Ａのタイトルに「ピンク」が含まれ、残りの二つの類似商品Ｂ，Ｃのタイトルに「ブルー」が含まれている場合を想定する。
【０１１４】
この場合、「ピンク」はユーザによって選択された商品のタイトルに含まれ、類似商品Ｂ，Ｃのタイトルに含まれていないため、非重複単語取得部４１は「ピンク」を非重複単語として取得する。同様に、「ブルー」はユーザによって選択された商品のタイトルに含まれ、類似商品Ａのタイトルに含まれていないため、非重複単語取得部４１は「ブルー」も非重複単語として取得する。
【０１１５】
また例えば、重複単語取得部４０の動作が第２実施形態における重複単語取得部４０と同様である場合、「ユーザによって選択されたアイテムに関連付けられた識別情報と同一又は類似の識別情報が関連付けられたアイテム」が「ユーザによって選択されたアイテムと所定関係を有する他のアイテム」に相当する。
【０１１６】
この場合、非重複単語取得部４１は、ユーザによって選択された商品のタイトルと、ユーザによって選択された商品の商品ＩＤと同一である商品のタイトルとのいずれか一方のみに含まれる単語を非重複単語として取得する。
【０１１７】
また例えば、重複単語取得部４０の動作が第３実施形態における重複単語取得部４０と同様である場合、「ユーザによって選択された複数のアイテムのうちの一のアイテム」が「ユーザによって選択されたアイテム」に相当し、「ユーザによって選択された複数のアイテムのうちの他のアイテム」が「ユーザによって選択されたアイテムと所定関係を有する他のアイテム」に相当する。
【０１１８】
この場合、非重複単語取得部４１は、ユーザによって選択された複数の商品のタイトルのいずれかのみに含まれる単語を非重複単語として取得する。
【０１１９】
検索条件設定部４２（第２の検索条件設定手段）は、重複単語取得部４０によって取得された重複単語と、非重複単語取得部４１によって取得された非重複単語とを含む検索条件を設定する。
【０１２０】
例えば、重複単語取得部４０によって複数の重複単語が取得され、かつ、非重複単語取得部４１によって複数の非重複単語が取得された場合、検索条件設定部４２は、ＡＮＤ条件で連結された複数の重複単語と、ＯＲ条件で連結された複数の非重複単語と、がＡＮＤ条件で連結された検索条件を設定する。
【０１２１】
ここで、下記に示すような重複単語及び非重複単語が取得された場合を想定する。
重複単語：「ＡＢＣ」，「バイオレット」
非重複単語：「Ｘシリーズ」，「Ｚシリーズ」，「秋冬」
【０１２２】
この場合、検索条件設定部４２は下記に示すような検索条件を設定する。
（「ＡＢＣ」ａｎｄ「バイオレット」）ａｎｄ（「Ｘシリーズ」ｏｒ「Ｚシリーズ」ｏｒ「秋冬」）
【０１２３】
また例えば、重複単語取得部４０によって一つの重複単語が取得され、かつ、非重複単語取得部４１によって複数の非重複単語が取得された場合、検索条件設定部４２は、一つの重複単語と、ＯＲ条件で連結された複数の非重複単語と、がＡＮＤ条件で連結された検索条件を設定する。
【０１２４】
ここで、下記に示すような重複単語及び非重複単語が取得された場合を想定する。
重複単語：「ＡＢＣ」
非重複単語：「Ｘシリーズ」，「Ｚシリーズ」，「秋冬」
【０１２５】
この場合、検索条件設定部４２は下記に示すような検索条件を設定する。
「ＡＢＣ」ａｎｄ（「Ｘシリーズ」ｏｒ「Ｚシリーズ」ｏｒ「秋冬」）
【０１２６】
非重複単語取得部４１によって一つの非重複単語のみが取得された場合、検索条件設定部４２は第１実施形態〜第３実施形態と同様の動作を行う。すなわち、検索条件設定部４２は、重複単語取得部４０によって取得された重複単語を含み、かつ、非重複単語取得部４１によって取得された非重複単語を含まない検索条件を設定する。
【０１２７】
なお、非重複単語取得部４１によって一つの非重複単語が取得された場合にも、検索条件設定部４２は、重複単語取得部４０によって取得された重複単語と、非重複単語取得部４１によって取得された非重複単語とを含む検索条件を設定するようにしてもよい。
【０１２８】
例えば、重複単語取得部４０によって一つの重複単語が取得され、かつ、非重複単語取得部４１によって一つの非重複単語が取得された場合、検索条件設定部４２は、一つの重複単語と一つの非重複単語とがＡＮＤ条件で連結された検索条件を設定するようにしてもよい。
【０１２９】
また、重複単語取得部４０によって複数の重複単語が取得され、かつ、非重複単語取得部４１によって一つの非重複単語が取得された場合には、ＡＮＤ条件で連結された複数の重複単語と、一つの非重複単語と、がＡＮＤ条件で連結された検索条件を設定するようにしてもよい。
【０１３０】
検索実行部４４は第１実施形態〜第３実施形態における検索実行部４４と同様である。
【０１３１】
以上に説明した機能ブロックを実現するための処理について説明する。図７と同様、図９は類似検索アイコン３５が押下された場合に実行される処理の一例を示す。
【０１３２】
図９のステップＳ２０１〜Ｓ２０４は図７のステップＳ１０１〜Ｓ１０４と同様である。このため、ここでは説明を省略する。
【０１３３】
ステップＳ２０４が実行された後、制御部１１は、ステップＳ２０３で取得されたタイトルのいずれかのみに含まれている単語（非重複単語）を取得する（Ｓ２０５）。なお、制御部１１は数字を含む単語を除外する。
【０１３４】
ステップＳ２０５が実行された後、制御部１１は、ステップＳ２０４で取得された重複単語（及びカテゴリー単語）と、ステップＳ２０５で取得された非重複単語とに基づいて検索条件を設定する（Ｓ２０６）。そして、制御部１１は、ステップＳ２０６で設定された検索条件に基づいて検索を実行する（Ｓ２０７）。
【０１３５】
ステップＳ２０７が実行された後、制御部１１は検索結果を示す検索結果データをユーザ端末２０に送信する（Ｓ２０８）。そして、検索結果データに基づいて、ユーザ端末２０の制御部２１は検索画面３０を更新する（Ｓ２０９）。
【０１３６】
以上に説明した第４実施形態に係る電子商取引システム１によっても、ユーザによって選択された商品特有の特徴との関連性が高い単語が検索条件に含まれる可能性が高くなる。
【０１３７】
［第５実施形態］本発明の第５実施形態に係る電子商取引システム１の全体構成は第１実施形態と同様である（図１参照）。また、第５実施形態に係る電子商取引システム１においても、第１実施形態と同様の検索画面３０が表示され（図２〜４参照）、第１実施形態と同様のデータが記憶される（図５参照）。
【０１３８】
図１０は、第５実施形態に係る電子商取引システム１で実現される機能ブロックを示す機能ブロック図である。図１０に示すように、電子商取引システム１は重複単語取得部４０（重複単語取得手段）、非重複単語取得部４１（非重複単語取得手段）、検索条件設定部４２（検索条件設定手段）、検索実行部４４（検索実行手段）、及び一覧提示部４６（一覧提示手段）を含む。
【０１３９】
図１０に示す機能ブロックはサーバ１０又はユーザ端末２０によって実現される。以下では、図１０に示す機能ブロックがサーバ１０で実現される場合について説明する。すなわち、サーバ１０の制御部１１がプログラムに従って処理を実行することによって、制御部１１が重複単語取得部４０、非重複単語取得部４１、検索条件設定部４２、検索実行部４４、及び一覧提示部４６として機能する場合について説明する。
【０１４０】
重複単語取得部４０は第１実施形態〜第３実施形態のいずれかにおける重複単語取得部４０と同様である。このため、ここでは説明を省略する。
【０１４１】
非重複単語取得部４１は第４実施形態における非重複単語取得部４１と同様である。このため、ここでは説明を省略する。
【０１４２】
検索条件設定部４２は第１の検索条件設定部４２Ａ（第１の検索条件設定手段）及び第２の検索条件設定部４２Ｂ（第２の検索条件設定手段）を含む。第１の検索条件設定部４２Ａは第１実施形態〜第３実施形態のいずれかにおける検索条件設定部４２と同様である。また、第２の検索条件設定部４２Ｂは第４実施形態における第４実施形態における検索条件設定部４２と同様である。このため、ここでは説明を省略する。
【０１４３】
検索実行部４４は第１の検索実行部４４Ａ（第１の検索実行手段）及び第２の検索実行部４４Ｂ（第２の検索実行手段）を含む。第１の検索実行部４４Ａは、第１の検索条件設定部４２Ａによって設定された検索条件に基づいて検索を実行する。また、第２の検索実行部４４Ｂは、第２の検索条件設定部４２Ｂによって設定された検索条件に基づいて検索を実行する。
【０１４４】
一覧提示部４６は、第１の検索実行部４４Ａ又は第２の検索実行部４４Ｂによる検索によって取得されたアイテム（商品）の一覧をユーザに提示する。
【０１４５】
例えば、第１の検索実行部４４Ａによる検索によって取得された一覧の件数が閾値よりも少ない場合に、一覧提示部４６は、第１の検索実行部４４Ａによる検索によって取得された一覧をユーザに提示する。
【０１４６】
例えば、第１の検索実行部４４Ａによる検索によって取得された一覧の件数が閾値よりも少ない場合に、一覧提示部４６は、第１の検索実行部４４Ａによる検索によって取得された一覧をユーザに提示する。すなわち、第１の検索実行部４４Ａによる検索によって取得された一覧の件数が多すぎない場合に、一覧提示部４６は、第１の検索実行部４４Ａによる検索によって取得された一覧をユーザに提示する。
【０１４７】
一方、第１の検索実行部４４Ａによる検索によって取得された一覧の件数が閾値よりも多い場合に、一覧提示部４６は、第２の検索実行部４４Ｂによる検索によって取得された一覧をユーザに提示する。すなわち、第１の検索実行部４４Ａによる検索によって取得された一覧の件数が多すぎる場合に、一覧提示部４６は、第２の検索実行部４４Ｂによる検索によって取得された一覧をユーザに提示する。
【０１４８】
第２の検索実行部４４Ｂによる検索によって取得される一覧の件数は、第１の検索実行部４４Ａによる検索によって取得される一覧の件数よりも少なくなるため、以上に説明したような構成によれば、ユーザに提示される一覧の件数が多くなりすぎないように担保することが可能になる。
【０１４９】
以上に説明した機能ブロックを実現するための処理について説明する。図７，９と同様、図１１は類似検索アイコン３５が押下された場合に実行される処理の一例を示す。
【０１５０】
図１１のステップＳ３０１〜Ｓ３０６は図７のステップＳ１０１〜Ｓ１０６と同様である。このため、ここでは説明を省略する。
【０１５１】
ステップＳ３０６が実行された後、制御部１１は、ステップＳ３０６で検索結果として取得された商品の一覧の件数が閾値以下であるか否かを判定する（Ｓ３０７）。上記件数が閾値以下である場合、制御部１１は、ステップＳ３０６で得られた検索結果を示す検索結果データをユーザ端末２０に送信する（Ｓ３１１）。
【０１５２】
一方、上記件数が閾値以下でない場合、制御部１１は、ステップＳ２０３で取得されたタイトルのいずれかのみに含まれている単語（非重複単語）を取得する（Ｓ３０８）。ステップＳ３０８が実行された後、制御部１１は、ステップＳ３０４で取得された重複単語（及びカテゴリー単語）と、ステップＳ３０８で取得された非重複単語とに基づいて検索条件を設定する（Ｓ３０９）。そして、制御部１１は、ステップＳ３０９で設定された検索条件に基づいて検索を実行する（Ｓ３１０）。なお、ステップＳ３０８〜Ｓ３１０は図９のステップＳ２０５〜Ｓ２０７と同様である。
【０１５３】
ステップＳ３１０が実行された後、制御部１１は、ステップＳ３１０で得られた検索結果を示す検索結果データをユーザ端末２０に送信する（Ｓ３１１）。ステップＳ３１１で送信された検索結果データに基づいて、ユーザ端末２０の制御部２１は検索画面３０を更新する（Ｓ３１２）。
【０１５４】
以上に説明した第５実施形態に係る電子商取引システム１によっても、ユーザによって選択された商品特有の特徴との関連性が高い単語が検索条件に含まれる可能性が高くなる。さらに、第５実施形態に係る電子商取引システム１によれば、ユーザに提示する一覧の件数が多くなりすぎないように担保することが可能になる。
【０１５５】
なお、本発明は以上に説明した実施形態に限定されるものではない。
【０１５６】
［１］例えば、「送料無料」等の検索条件に含めるべきでない単語が登録された辞書（ブラックリスト）をデータベース１５等に記憶しておくようにしてもよい。そして、かかる辞書に登録された単語を検索条件に含ませないようにしてもよい。
【０１５７】
［２］例えば、「ショルダーバッグ」と「肩掛けバッグ」のような同義語（又は類義語）が登録された辞書をデータベース１５等に記憶しておくようにしてもよい。そして、かかる辞書に基づいて重複単語の同義語を取得し、ＯＲ条件が連結された重複単語及び同義語（又は類義語）を検索条件に含めるようにしてもよい。
【０１５８】
［３］例えば、検索画面３０に表示された商品のうちの、ユーザによって選択されなかった商品のタイトルに含まれる単語を検索条件に含めないようにしてもよい。検索画面３０に表示された商品のうちの、ユーザによって選択されなかった商品とは、ユーザが興味を持っていない商品である可能性が高い。この点、上記のようにすれば、ユーザが興味を持っていない商品特有の特徴を示す単語が検索条件に含まれてしまう可能性を下げることが可能になる。
【０１５９】
［４］例えば、商品画像が同一又は類似であるか否かを判定する場合には、商品画像をグレースケール画像に変換するようにしてもよい。このようにすることによって、商品の形状のみに着目して、商品画像が同一又は類似であるか否かが判定されるようにしてもよい。
【０１６０】
ここで、赤色の商品の商品画像がユーザによって選択された場合を想定する。この場合、例えば、第４実施形態のステップＳ２０２（図９）又は第５実施形態のステップＳ３０２（図１１）では、ユーザによって選択された商品と色のみが異なる同一商品（例えば青色）の商品画像が類似商品画像として見つけられる。この場合、それぞれの商品のタイトルに色名（レッド、ブルー）が含まれているのであれば、ステップＳ２０５又はＳ３０８では、「レッド」及び「ブルー」が非重複単語として取得される。その結果、ステップＳ２０６又Ｓ３０９では、これらの非重複単語がＯＲ条件で連結された検索条件が設定され、色違いの商品の検索が実行されることになる。
【０１６１】
［５］例えば、商品画像が同一又は類似であるか否かの判定処理を予め実行しておき、判定結果を示すデータをデータベース１５に保存しておくようにしてもよい。すなわち、商品画像が同一又は類似である商品の組合せを示すデータをデータベース１５に予め保存しておくようにしてもよい。このようにすれば、ステップＳ１０２（図７），Ｓ２０２（図９），Ｓ３０２（図１１）の処理負荷を軽減することが可能になる。
【０１６２】
［６］例えば、ステップＳ１０２〜Ｓ１０６（図７）の全部又は一部はユーザ端末２０（検索条件設定装置）の制御部２１が実行するようにしてもよい。すなわち、図６に示す機能ブロックの全部又は一部はユーザ端末２０で実現されるようにしてもよい。ただし、その場合、ステップＳ１０２〜Ｓ１０６を実行するための必要なデータを、制御部２１がアクセス可能な記憶部に記憶させておく必要がある。あるいは、ユーザ端末２０がデータベース１５にアクセスできるようにしてもよい。
【０１６３】
同様に、ステップＳ２０２〜Ｓ２０７（図９）の全部又は一部はユーザ端末２０（検索条件設定装置）の制御部２１が実行するようにしてもよい。すなわち、図８に示す機能ブロックの全部又は一部はユーザ端末２０で実現されるようにしてもよい。
【０１６４】
同様に、ステップＳ３０２〜Ｓ３１１（図１１）の全部又は一部はユーザ端末２０（検索条件設定装置）の制御部２１が実行するようにしてもよい。すなわち、図１１に示す機能ブロックの全部又は一部はユーザ端末２０で実現されるようにしてもよい。
【０１６５】
［７］例えば、電子商取引システム１では、バッグや飲料等の物だけでなく、例えば電子書籍データ、音楽データ、又は映像データ等のデータを商品として販売するようにしてもよい。また、電子商取引システム１では、商品だけでなく、サービスを販売するようにしてもよい。
【０１６６】
［８］以上では、本発明を電子商取引システムに適用した場合の例について説明した。すなわち、本発明の実施形態に係る検索システムを電子商取引システムにおいて実現した場合の例について説明した。しかしながら、本発明は電子商取引システム以外のシステムにも適用することができる。また、本発明は、商品及びサービス以外のアイテムを検索するための検索システムにも適用することができる。
【符号の説明】
【０１６７】
１  電子商取引システム、２  通信ネットワーク、４  店舗端末、１０  サーバ、１１，２１  制御部、１２，２２  記憶部、１３，２３  通信部、１４  光ディスクドライブ部、２０  ユーザ端末、２４  操作部、２５  表示部、２６  音声出力部、３０  検索画面、３１  キーワード欄、３２  検索ボタン、３３  商品画像、３４  カーソル、３５  類似検索アイコン、４０  重複単語取得部、４１  非重複単語取得部、４２  検索条件設定部、４２Ａ  第１の検索条件設定部、４２Ｂ  第２の検索条件設定部、４４  検索実行部、４４Ａ  第１の検索実行部、４４Ｂ  第２の検索実行部、４６  一覧提示部。
【要約】
重複単語取得部（４０）は、ユーザによる選択対象であるアイテムの一覧からユーザによってアイテムが選択された場合に、ユーザによって選択されたアイテムに関連付けられたテキスト情報と、ユーザによって選択されたアイテムと所定関係を有する他のアイテムに関連付けられたテキスト情報とに重複して含まれる単語を重複単語として取得する。検索条件設定部（４２）は、ユーザによって選択されたアイテムに類似するアイテムを検索するための検索条件を重複単語に基づいて設定する。検索実行部（４４）は検索条件に基づいて検索を実行する。【図１】
0005568194.tif 000002
【図２】
0005568194.tif 000003
【図３】
0005568194.tif 000004
【図４】
0005568194.tif 000005
【図５】
0005568194.tif 000006
【図６】
0005568194.tif 000007
【図７】
0005568194.tif 000008
【図８】
0005568194.tif 000009
【図９】
0005568194.tif 000010
【図１０】
0005568194.tif 000011
【図１１】
0005568194.tif 000012